(57)【要約】      （修正有）【課題】排水に含まれる塵によって生じる流路の閉塞に起因した漏水事故を防止する排液トラップを提供する。【解決手段】排液トラップ１００のトラップ部材１１３、１１４は、下部を閉塞した管状からなり、管の上端に開口して形成された第１開口部１１３ａ、管内部の下部から離間し管内部の側部および上部に一体形成され管内部を仕切る板状の仕切部１１４ａ、仕切部によって管内部に形成されたＵ字状の流路部１１３ｂ、流路部の下流側であって管壁を貫通して形成された第２開口部１１３ｃを備えている。トラップ部材は、排液を第１開口部から流入させ流路部に貯留しつつ第２開口部から流出させる。トラップ本体は、トラップ部材を少なくとも第２開口部まで収容し、第２開口部から下方に向かって流入した排液を底部に貯留しつつ側方に向かって排出する。封止部材は、トラップ部材とトラップ本体との間を封止し、媒体の流通を制限する。【選択図】図２
2016079640.tif 000002
【特許請求の範囲】
【請求項１】
下部を閉塞した管状からなり、管の上端に開口して形成された第１開口部と、管内部の下部から離間し管内部の側部および上部に一体形成され管内部を仕切る板状の仕切部と、前記仕切部によって管内部に形成されたＵ字状の流路部と、前記流路部の下流側であって管壁を貫通して形成された第２開口部と、を備え、排液を前記第１開口部から流入させ前記流路部に貯留しつつ前記第２開口部から流出させるトラップ部材と、
前記トラップ部材を少なくとも前記第２開口部まで収容し、前記第２開口部から下方に向かって流入した前記排液を底部に貯留しつつ側方に向かって排出するトラップ本体と、
前記トラップ部材と前記トラップ本体との間を封止し、媒体の流通を制限する封止部材と、を有する排液トラップ。
【請求項２】
前記トラップ部材に前記排液を流通させる流通部材を、さらに有し、
前記流路部内における流れ方向と直交した方向の断面積は、前記流通部材内における流れ方向と直交した方向の断面積よりも小さい請求項１に記載の排液トラップ。
【請求項３】
前記第２開口部は、１つからなる請求項１または２に記載の排液トラップ。
【請求項４】
前記トラップ部材は、前記トラップ本体の底面から離間している請求項１〜３のいずれか１項に記載の排液トラップ。
【請求項５】
前記トラップ部材は、前記トラップ本体から着脱自在である請求項１〜４のいずれか１項に記載の排液トラップ。
【請求項６】
防水パンに配設し排液を底部に貯留しつつ側方に向かって排出するトラップ本体に組み付けられるトラップアッセンブリであって、
下部を閉塞した管状からなり、管の上端に開口して形成された第１開口部と、管内部の下部から離間し管内部の側部および上部に一体形成され管内部を仕切る板状の仕切部と、前記仕切部によって管内部に形成されたＵ字状の流路部と、前記流路部の下流側であって管壁を貫通して形成された第２開口部と、を備え、前記排液を前記第１開口部から流入させ前記流路部に貯留しつつ前記第２開口部から流出させるトラップ部材と、
前記トラップ部材と前記トラップ本体との間を封止し、媒体の流通を制限する封止部材と、を有するトラップアッセンブリ。
【発明の詳細な説明】
【技術分野】
【０００１】
本発明は、例えば洗濯機の排液トラップおよび排液トラップのトラップ本体に組み付けられるトラップアッセンブリに関する。
【背景技術】
【０００２】
従来から、例えば洗濯機から排出される水を下水管に排水する排水トラップがある（例えば、特許文献１参照。）。このような排水トラップでは、トラップ部材に相当する封水容器に水を溜めることによって、洗濯機を配設した空間と下水管の間を遮蔽して、下水管の内部の臭気が室内に漏れること防止している。
【先行技術文献】
【特許文献】
【０００３】
【特許文献１】特開２０１０−４８０３０号公報
【発明の概要】
【発明が解決しようとする課題】
【０００４】
しかしながら、上記の排水トラップの構成では、排水に含まれる塵によって封水容器の流路が閉塞されてしまうと、排水が周囲に漏れて被害を及ぼす虞がある。特に、糸屑等を除去するフィルタを備えていない洗濯機を用いた場合、漏水事故が発生する可能性が高くなってしまう。
【０００５】
本発明は、上記の課題を解決するためになされたものであり、排水に含まれる塵によって生じる流路の閉塞に起因した漏水事故を防止することができる排液トラップおよびトラップアッセンブリの提供を目的とする。
【課題を解決するための手段】
【０００６】
上記目的を達成する本発明に係る排液トラップは、トラップ部材、トラップ本体、および封止部材を有している。トラップ部材は、下部を閉塞した管状からなり、管の上端に開口して形成された第１開口部と、管内部の下部から離間し管内部の側部および上部に一体形成され管内部を仕切る板状の仕切部と、仕切部によって管内部に形成されたＵ字状の流路部と、流路部の下流側であって管壁を貫通して形成された第２開口部と、を備えている。トラップ部材は、排液を第１開口部から流入させ流路部に貯留しつつ第２開口部から流出させる。トラップ本体は、トラップ部材を少なくとも第２開口部まで収容し、第２開口部から下方に向かって流入した排液を底部に貯留しつつ側方に向かって排出する。封止部材は、トラップ部材とトラップ本体との間を封止し、媒体の流通を制限する。
【０００７】
上記目的を達成する本発明に係るトラップアッセンブリは、防水パンに配設し排液を底部に貯留しつつ側方に向かって排出するトラップ本体に組み付けられる。上記目的を達成する本発明に係るトラップアッセンブリは、トラップ部材および封止部材を有している。トラップ部材は、下部を閉塞した管状からなり、管の上端に開口して形成された第１開口部と、管内部の下部から離間し管内部の側部および上部に一体形成され管内部を仕切る板状の仕切部と、仕切部によって管内部に形成されたＵ字状の流路部と、流路部の下流側であって管壁を貫通して形成された第２開口部と、を備えている。トラップ部材は、排液を第１開口部から流入させ流路部に貯留しつつ第２開口部から流出させる。封止部材は、トラップ部材とトラップ本体との間を封止し、媒体の流通を制限する。
【発明の効果】
【０００８】
上記のように構成した排液トラップによれば、トラップ部材とトラップ本体との間が封止部材によって封止された状態において、排液が、仕切部によって管内部に形成された流路部を介して、トラップ本体の底部に貯留されつつ側方に向かって排出される。したがって、排液トラップは、排液に含まれる塵によって生じる流路の閉塞に起因した漏水事故を防止することができる。
【０００９】
上記のように構成したトラップアッセンブリによれば、既存の防水パンのトラップ本体に取り付けて用いることができ、トラップ部材とトラップ本体との間が封止部材によって封止された状態において、排液が、仕切部によって管内部に形成された流路部を介して、トラップ本体の底部に貯留されつつ側方に向かって排出される。したがって、トラップアッセンブリは、排液に含まれる塵によって生じる流路の閉塞に起因した漏水事故を防止することができる。すなわち、トラップアッセンブリは、既存の設備の交換にも対応することができる。
【図面の簡単な説明】
【００１０】
【図１】実施形態に係る排液トラップを示す斜視図である。
【図２】図１の排液トラップを示す断面図である。
【図３】図１の排液トラップを構成部材毎に分解して示す分解斜視図である。
【図４】図３の排液トラップを示す断面図である。
【図５】図１の排液トラップによる排液動作を側方から示す断面図である。
【発明を実施するための形態】
【００１１】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。図５において、一点鎖線で表す矢印Ｆは排水Ｗの流れを示し、二点鎖線で表す矢印Ｓは臭気の流れを示している。
【００１２】
先ず、排液トラップ１００の構成について、図１〜図４を参照しながら順に説明する。
【００１３】
図１は、実施形態に係る排液トラップ１００を示す斜視図である。図２は、図１の排液トラップ１００を示す断面図である。図３は、図１の排液トラップ１００を構成部材毎に分解して示す分解斜視図である。図４は、図３の排液トラップ１００を示す断面図である。
【００１４】
ホースジョイント１０１は、例えば洗濯機の排水ホースを接続し、その排水ホースから排出される排水Ｗをカップ１１３およびスロート１１４に誘導している。ホースジョイント１０１は、例えば、円筒形状であって中央部分を屈曲させて形成している。ホースジョイント１０１の外周面の一部を、環状に突出させて形成し、その上面にパッキンホルダ１０９の押圧面１０９ａに押圧される被押圧面１０１ａを備え、その下面にフィルムパッキン１０２を押圧する押圧面１０１ｂを備えている。ホースジョイント１０１の下端１０１ｃを、スロート１１４の上部に挿入している。
【００１５】
フィルムパッキン１０２は、ホースジョイント１０１とリング１０３の間を密封している。フィルムパッキン１０２は、例えば、伸縮性を備えた肉薄のゴムからなり、上下方向に扁平であって環状に形成されている。フィルムパッキン１０２は、リング１０３の載置面１０３ａに載置され、ホースジョイント１０１とリング１０３によって両側から押圧されている。
【００１６】
リング１０３は、パッキンホルダ１０９と共に、ホースジョイント１０１を保持している。リング１０３は、円筒形状と、中央を開口した円盤形状を積層するように形成されている。リング１０３は、上面の中央にフィルムパッキン１０２を載置する載置面１０３ａを備えている。リング１０３は、上部から周方向外方に突出し、平パッキン１０４を介して封止皿１０５と当接する当接部１０３ｂを備えている。当接部１０３ｂは、皿ネジ１０６を挿通するネジ孔１０３ｃを同心円上に複数開口している。リング１０３は、内周面の下端から内方に若干突出し、カップ１１３を引っ掛けるようにして支持する支持部１０３ｄを備えている。リング１０３は、内周面の上部に、パッキンホルダ１０９のネジ山１０９ｂに対応するネジ溝１０３ｅを形成している。
【００１７】
平パッキン１０４は、リング１０３と封止皿１０５の間を密封している。平パッキン１０４は、例えば、伸縮性を備えた肉厚のゴムからなり、上下方向に扁平であって環状に形成されている。平パッキン１０４は、封止皿１０５の載置面１０５ａに載置され、リング１０３と封止皿１０５によって両側から押圧されている。平パッキン１０４は、皿ネジ１０６を挿通するネジ孔１０４ａを同心円上に複数開口している。ネジ孔１０４ａは、リング１０３のネジ孔１０３ｃに対応している。
【００１８】
封止皿１０５は、封止部材に相当する。封止皿１０５は、カップ１１３およびスロート１１４とトラップ本体１１５との間を封止し、媒体（排水Ｗおよび臭気）の流通を制限している。封止皿１０５は、円筒形状の上部に、中央を開口した円盤形状を積層するように形成されている。封止皿１０５は、上面に平パッキン１０４を載置する載置面１０５ａを備えている。封止皿１０５は、載置面１０５ａにおいて、皿ネジ１０６を挿通するネジ孔１０５ｂを同心円上に複数開口している。ネジ孔１０５ｂは、リング１０３のネジ孔１０３ｃおよび平パッキン１０４のネジ孔１０４ａに対応している。封止皿１０５は、外周面の下端から外方に若干突出し、封止皿受１１０の引掛部１１０ｂに係合して固定する係合部１０５ｃを複数備えている。
【００１９】
皿ネジ１０６は、リング１０３のネジ孔１０３ｃ、平パッキン１０４のネジ孔１０４ａ、および封止皿１０５のネジ孔１０５ｂを挿通した上で、ワッシャ１０７を介して、ナット１０８と連結している。すなわち、皿ネジ１０６は、ナット１０８と共に、リング１０３と平パッキン１０４および封止皿１０５の順で互いに連結している。
【００２０】
パッキンホルダ１０９は、リング１０３と共に、ホースジョイント１０１を保持している。パッキンホルダ１０９は、相対的に径が大きい円環形状に上部に、相対的に径が小さい円環形状を積層するように形成されている。パッキンホルダ１０９は、内周面の下端に面取りして形成され、ホースジョイント１０１の被押圧面１０１ａを押圧する押圧面１０９ａを備えている。パッキンホルダ１０９は、下部から上方に向かって環状に形成された凹部に、リング１０３のネジ溝１０３ｅに対応するネジ山１０９ｂを備えている。
【００２１】
封止皿受１１０は、封止皿１０５を保持している。封止皿受１１０は、円筒形状の上部に、中央を開口した円盤形状を積層するように形成されている。封止皿受１１０は、上面に封止皿１０５を当接させて保持する当接面１１０ａを備えている。封止皿受１１０は、内周面から内方に若干突出し、封止皿１０５の係合部１０５ｃに引っ掛ける引掛部１１０ｂを複数備えている。
【００２２】
フィルムパッキン１１１は、封止皿受１１０とＵ字状パッキン１１２の間を密封している。フィルムパッキン１１１は、例えば、肉薄のプラスチックスからなり、上下方向に扁平であって環状に形成されている。フィルムパッキン１１１は、封止皿受１１０とＵ字状パッキン１１２によって両側から押圧されている。
【００２３】
Ｕ字状パッキン１１２は、フィルムパッキン１１１とトラップ本体１１５の上面１１５ａの間を密封する。Ｕ字状パッキン１１２は、例えば、伸縮性を備えたゴムからなり、上下方向に扁平であってリング状に形成されている。さらに、Ｕ字状パッキン１１２は、径方向の外方から内方にかけて円弧状の溝が形成されている。フィルムパッキン１１１は、封止皿受１１０とトラップ本体１１５によって両側から押圧されている。
【００２４】
カップ１１３およびスロート１１４は、トラップ部材に相当する。カップ１１３は、下部を閉塞した管状からなり、管の上端に開口して形成された第１開口部１１３ａ、仕切部１１４ａによって管内部に形成されたＵ字状の流路部１１３ｂ、および流路部１１３ｂの下流側であって管壁を貫通して形成された第２開口部１１３ｃを備えている。スロート１１４は、カップ１１３の管内部の下部から離間し、カップ１１３の管内部の側部および上部に一体形成され管内部を仕切る板状の仕切部１１４ａを備えている。スロート１１４は、上部および下部ともに開口した管状からなり、下方に向かって径が相対的に小さくなるように湾曲している。スロート１１４は、カップ１１３に収納して配設している。カップ１１３およびスロート１１４は、排水Ｗを第１開口部１１３ａから流入させ流路部１１３ｂに貯留しつつ第２開口部１１３ｃから流出させる。
【００２５】
カップ１１３の流路部１１３ｂ内における流れ方向と直交した方向の断面積は、ホースジョイント１０１内における流れ方向と直交した方向の断面積よりも小さい。第２開口部１１３ｃは、１つである。カップ１１３およびスロート１１４は、トラップ本体１１５の底面から離間させている。カップ１１３およびスロート１１４は、トラップ本体１１５から着脱自在に構成している。
【００２６】
トラップ本体１１５は、カップ１１３およびスロート１１４を少なくとも第２開口部１１３ｃまで収容し、第２開口部１１３ｃから下方に向かって流入した排水Ｗを底部１１５ｂに貯留しつつ側方の排出口１１５ｃに向かって排出する。すなわち、トラップ本体１１５は、底部１１５ｂが閉塞された円筒形状に形成され、外周面から側方に向かって円筒形状に突出した形成された排水口１１５ｃを備えている。トラップ本体１１５は、上面１１５ａにＵ字状パッキン１１２を密着させて漏水等を防止している。トラップ本体１１５は、洗濯機が載置される防水パンの下部に埋設される。
【００２７】
次に、排液トラップ１００による排液動作について、図５を参照しながら順に説明する。
【００２８】
図５は、図１の排液トラップ１００による排液動作を側方から示す断面図である。図５において、一点鎖線で表す矢印Ｆは排水Ｗの流れを示し、二点鎖線で表す矢印Ｓは臭気の流れを示している。
【００２９】
例えば洗濯機から排出された排水Ｗは、排液トラップ１００のホースジョイント１０１を介して、トラップ部材に相当するカップ１１３およびスロート１１４に流入する。カップ１１３は、排液（排水Ｗ）を第１開口部１１３ａから流入させ、流路部１１３ｂに貯留しつつ、第２開口部１１３ｃからトラップ本体１１５に流出させる。トラップ本体１１５は、第２開口部１１３ｃから流入した排水Ｗを、底部１１５ｂに貯水しつつ排水口１１５ｃから下水管に排出する。封止皿１０５等は、カップ１１３およびスロート１１４とトラップ本体１１５との間を封止し、媒体（排水Ｗおよび臭気）の流通を制限している。このような排液トラップ１００は、排水Ｗに含まれる糸くずのような塵によって生じる流路の閉塞に起因した漏水事故を防止することができる。
【００３０】
ここで、排液トラップ１００において、流路部１１３ｂ内における流れ方向と直交した方向の断面積は、ホースジョイント１０１内における流れ方向と直交した方向の断面積よりも小さいことから、ホースジョイント１０１からカップ１１３およびスロート１１４に流入した排水Ｗが、流路部１１３ｂ等において淀むことなく一定の流速を保ったまま、トラップ本体１１５に流出する。すなわち、ホースジョイント１０１からカップ１１３およびスロート１１４に至る流路において、内径が拡張されていないことから、排水Ｗを十分な水圧で送水することができる。さらに、排液トラップ１００において、第２開口部１１３ｃが１つであることから、排水Ｗに含まれる糸くずのような塵が、隣接する開口部の間に引っ掛かるようなことがない。すなわち、隣接する開口部の間の枠のような部分に塵が引っ掛かって、次第に蓄積するようなことを防止できる。
【００３１】
上述した実施形態に係る排液トラップ１００およびトラップアッセンブリによれば、以下の構成によって作用効果を奏する。
【００３２】
排液トラップ１００は、トラップ部材（カップ１１３およびスロート１１４）、トラップ本体（トラップ本体１１５）、および封止部材（封止皿１０５等）を有している。カップ１１３およびスロート１１４は、下部を閉塞した管状からなり、管の上端に開口して形成された第１開口部１１３ａ、管内部の下部から離間し管内部の側部および上部に一体形成され管内部を仕切る板状の仕切部１１４ａ、仕切部１１４ａによって管内部に形成されたＵ字状の流路部１１３ｂ、および流路部１１３ｂの下流側であって管壁を貫通して形成された第２開口部１１３ｃを備えている。カップ１１３およびスロート１１４は、排液（排水Ｗ）を第１開口部１１３ａから流入させ流路部１１３ｂに貯留しつつ第２開口部１１３ｃから流出させる。トラップ本体１１５は、カップ１１３およびスロート１１４を少なくとも第２開口部１１３ｃまで収容し、第２開口部１１３ｃから下方に向かって流入した排水Ｗを底部に貯留しつつ側方に向かって排出する。封止皿１０５等は、カップ１１３およびスロート１１４とトラップ本体１１５との間を封止し、媒体（排水Ｗおよび臭気）の流通を制限する。
【００３３】
このような構成の排液トラップ１００によれば、カップ１１３およびスロート１１４とトラップ本体１１５との間が封止皿１０５等によって封止された状態において、排水Ｗが、仕切部１１４ａによって管内部に形成された流路部１１３ｂを介して、トラップ本体１１５の底部１１５ｂに貯留されつつ側方に向かって排出される。したがって、排液トラップ１００は、排水Ｗに含まれる塵によって生じる流路の閉塞に起因した漏水事故を防止することができる。
【００３４】
さらに、排液トラップ１００は、カップ１１３およびスロート１１４に排水Ｗを流通させる流通部材（ホースジョイント１０１）を有し、流路部１１３ｂ内における流れ方向と直交した方向の断面積は、ホースジョイント１０１内における流れ方向と直交した方向の断面積よりも小さい構成としている。
【００３５】
このような構成の排液トラップ１００によれば、ホースジョイント１０１からカップ１１３およびスロート１１４に流入した排水Ｗが、流路部１１３ｂ等において一定の流速を保ったまま、トラップ本体１１５に流出する。したがって、排液トラップ１００は、排水Ｗに含まれる塵によって流路部１１３ｂ等が閉塞することなく、漏水事故を十分に防止することができる。
【００３６】
さらに、排液トラップ１００は、第２開口部１１３ｃは、１つから構成している。
【００３７】
このような構成の排液トラップ１００によれば、排水Ｗに含まれる塵が、隣接する開口部の間に引っ掛かるようなことがない。したがって、排液トラップ１００は、排水Ｗに含まれる塵によって第２開口部１１３ｃが閉塞することなく、漏水事故を十分に防止することができる。
【００３８】
さらに、排液トラップ１００は、カップ１１３およびスロート１１４は、トラップ本体１１５の底面から離間して構成している。
【００３９】
このような構成の排液トラップ１００によれば、排水Ｗに含まれる塵が、カップ１１３およびスロート１１４とトラップ本体１１５との間に引っ掛かるようなことがない。したがって、排液トラップ１００は、排水Ｗに含まれる塵によってトラップ本体１１５が閉塞することなく、漏水事故を十分に防止することができる。
【００４０】
さらに、排液トラップ１００は、カップ１１３およびスロート１１４は、トラップ本体１１５から着脱自在に構成している。
【００４１】
このような構成の排液トラップ１００によれば、排水Ｗに含まれる塵が、カップ１１３およびスロート１１４やトラップ本体１１５に仮に堆積したとしても、容易に除去することができる。したがって、排液トラップ１００は、排水Ｗに含まれる塵によってカップ１１３およびスロート１１４やトラップ本体１１５が閉塞することなく、漏水事故を十分に防止することができる。
【００４２】
トラップアッセンブリは、防水パンに配設し排水Ｗを底部に貯留しつつ側方に向かって排出するトラップ本体１１５に組み付けられる。トラップアッセンブリは、トラップ部材（カップ１１３およびスロート１１４）および封止部材（封止皿１０５等）を有している。カップ１１３およびスロート１１４は、下部を閉塞した管状からなり、管の上端に開口して形成された第１開口部１１３ａ、管内部の下部から離間し管内部の側部および上部に一体形成され管内部を仕切る板状の仕切部１１４ａ、仕切部１１４ａによって管内部に形成されたＵ字状の流路部１１３ｂ、および流路部１１３ｂの下流側であって管壁を貫通して形成された第２開口部１１３ｃを備えている。カップ１１３およびスロート１１４は、排液（排水Ｗ）を第１開口部１１３ａから流入させ流路部１１３ｂに貯留しつつ第２開口部１１３ｃから流出させる。封止皿１０５等は、カップ１１３およびスロート１１４とトラップ本体１１５との間を封止し、媒体（排水Ｗおよび臭気）の流通を制限する。
【００４３】
このような構成のトラップアッセンブリによれば、既存の防水パンのトラップ本体１１５にカップ１１３およびスロート１１４および封止皿１０５等を取り付けて用いることができる。すなわち、既存の設備の交換にも対応することができる。
【００４４】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【００４５】
例えば、実施形態では、排液トラップ１００を、排水Ｗを貯留しつつ外部に排出する構成として説明したが、このような構成に限定されることはない。すなわち、排液トラップ１００は、塵を含有した油や溶剤を貯留しつつ外部に排出する構成に適用することができる。また、排液トラップ１００は、洗濯機に加えて、乾燥機能付きの洗濯機や乾燥専用機にも用いることができる。
【符号の説明】
【００４６】
１００    排液トラップ、
１０１    ホースジョイント、
１０１ａ  被押圧面、
１０１ｂ  押圧面、
１０１ｃ  下端、
１０２    フィルムパッキン、
１０３    リング、
１０３ａ  載置面、
１０３ｂ  当接部、
１０３ｃ  ネジ孔、
１０３ｄ  支持部、
１０３ｅ  ネジ溝、
１０４    平パッキン、
１０４ａ  ネジ孔、
１０５    封止皿（封止部材）、
１０５ａ  載置面、
１０５ｂ  ネジ孔、
１０５ｃ  係合部、
１０６    皿ネジ、
１０７    ワッシャ、
１０８    ナット、
１０９    パッキンホルダ、
１０９ａ  押圧面、
１０９ｂ  ネジ山、
１１０    封止皿受、
１１０ａ  当接面、
１１０ｂ  引掛部、
１１１    フィルムパッキン、
１１２    Ｕ字状パッキン、
１１３    カップ（トラップ部材）、
１１３ａ  第１開口部、
１１３ｂ  流路部、
１１３ｃ  第２開口部、
１１４    スロート（トラップ部材）、
１１４ａ  仕切部、
１１５    トラップ本体、
１１５ａ  上面、
１１５ｂ  底部、
１１５ｃ  排水口、
Ｗ        排水（排液）、
Ｆ        排水の流れ（一点鎖線で示す矢印）、
Ｓ        臭気の流れ（二点鎖線で示す矢印）。
【図１】
2016079640.tif 000003
【図２】
2016079640.tif 000004
【図３】
2016079640.tif 000005
【図４】
2016079640.tif 000006
【図５】
2016079640.tif 000007